(57)【要約】【課題】本発明は、携帯機器とそれを用いた駐車案内システムに関するもので、利便性を向上することを目的とするものである。【解決手段】制御部と、この制御部に接続した表示部、メモリ、車載機ならびに施設管理装置の交信可能な近距離通信部とを備え、前記近距離通信部を介して車載機ならびに施設管理装置から駐車場地図ならびに駐車位置を受信し、前記表示部に表示する構成とした。これによって、車両の駐車位置を覚えていない場合でも、駐車場地図と駐車位置を用いて、車両までの案内図を提示することが出来、その結果として、例えば、大型の駐車場において、迷うことなく駐車位置までの誘導が可能なり、利便性を向上させることができる。【選択図】図１
2014174142.tif 000002
【特許請求の範囲】
【請求項１】
表示部と、この表示部に接続した制御部と、この制御部に接続したメモリを備え、前記制御部には、第１の近距離通信部を接続し、前記制御部は、前記第１の近距離通信部を介して、車両から駐車場地図ならびに駐車位置情報を受信し、この受信した駐車場地図ならびに駐車位置情報を前記メモリに記録する構成とした携帯機器。
【請求項２】
制御部は、メモリに記録した駐車場地図および駐車位置情報に基づいて、前記表示部に案内図を表示する構成とした請求項１に記載の携帯機器。
【請求項３】
制御部は、前記第１の近距離通信部を介して、施設管理装置から路上端末の位置情報を受信し、この受信した路上端末の位置情報を前記メモリに記憶する構成とした請求項１の携帯機器。
【請求項４】
制御部は、メモリに記録した駐車場地図および路上端末の位置情報に基づいて、前記表示部に案内図を表示する構成とした請求項３に記載の携帯機器。
【請求項５】
請求項１から４のいずれか一つに記載の携帯機器と、この携帯機器の第１の近距離通信部と近距離通信可能な第２の近距離通信部を有する車両と、この携帯機器の第１の近距離通信部と近距離通信可能な第３の近距離通信部を有する施設管理装置を備えた駐車案内システム。
【発明の詳細な説明】
【技術分野】
【０００１】
本発明は、大型の駐車場を備えたスーパーマーケットやテーマパーク等での携帯機器（例えば携帯電話）とそれを用いた駐車案内システムに関するものである。
【背景技術】
【０００２】
従来の駐車案内システムでは、案内システムから駐車位置を指示するもので、駐車位置からスーパーマーケットやテーマパーク等の入口、あるいはスーパーマーケットから駐車位置までの経路が不明瞭である（例えば下記特許文献１）。
【先行技術文献】
【特許文献】
【０００３】
【特許文献１】特開２０１１−５４１１６号公報
【特許文献２】特開２００４−１１８３５６号公報
【発明の概要】
【発明が解決しようとする課題】
【０００４】
上記特許文献１においては、空きスペースに自動的に車両を誘導することが記載されている。
【０００５】
しかしながら、例えば、駐車した位置を忘れた場合でも、駐車した位置の情報は車両しか保持していないため、駐車した位置にたどり着けないといった課題がある。また、特許文献２においては、車載機から携帯機器に車両位置を送信し、携帯機器が現在位置を取得し、画面上に案内経路を表示することが記載されている。しかしながら、携帯機器が現在位置を取得できないような状況(例えば地下駐車場など)では、案内経路を提示できないといった課題があり、更なる利便性を向上することが望まれていた。
【０００６】
そこで、本発明は、駐車場においての誘導についての利便性を向上することを目的とするものである。
【課題を解決するための手段】
【０００７】
そしてこの目的を達成するために本発明は、制御部と、この制御部に接続した表示部、メモリ、車載機ならびに施設管理装置の交信可能な近距離通信部とを備え、前記近距離通信部を介して車載機ならびに施設管理装置から駐車場地図ならびに駐車位置を受信し、前記表示部に表示する構成とし、これにより所期の目的を達成するものである。
【発明の効果】
【０００８】
以上のように本発明は、制御部と、この制御部に接続した表示部、メモリ、車載機ならびに施設管理装置の交信可能な近距離通信部とを備え、前記近距離通信部を介して車載機ならびに施設管理装置から駐車場地図ならびに駐車位置を受信し、前記表示部に表示する構成としたものであるので、利便性を向上させることが出来る。
【０００９】
すなわち、本発明では、前記制御部に、近距離通信部を接続し、前記制御部は、前記近距離通信部を介して、車載機ならびに施設管理装置から駐車場地図ならびに駐車位置を受信し、この受信した駐車場地図ならびに駐車位置を表示部に表示する構成としたものであるので、例えば、車両の駐車位置を覚えていない場合でも、駐車場地図と駐車位置を用いて、車両までの案内図を提示することが出来、その結果として、例えば、大型の駐車場や地下駐車場において、迷うことなく駐車位置までの誘導が可能なり、利便性を向上させることができるのである。
【図面の簡単な説明】
【００１０】
【図１】本発明の一実施形態の駐車案内システムを示す図
【図２】同、駐車案内システムの車載機器のシステムを示す図
【図３】同、駐車案内システムの車載機器側の制御ブロック図
【図４】同、駐車案内システムの携帯機器側の制御ブロック図
【図５】同、駐車案内システムの施設管理装置側の制御ブロック図
【図６】同、駐車案内システムの各装置の関連図
【図７】同、車載機器の動作フローチャート
【図８】同、携帯機器の動作フローチャート
【図９】同、施設管理装置の動作フローチャート
【図１０】同、携帯機器の表示部を示す図
【図１１】同、携帯機器の表示部を示す図
【発明を実施するための形態】
【００１１】
以下、本発明の一実施形態を、添付図面を用いて説明する。
【００１２】
（実施の形態１）
図１において、１は車両で、７は施設管理装置で、２は駐車場を示している。施設管理装置７は、センター制御部２２と駐車場ゲート３７に設置された無線通信部３と路上端末４から構成されている。
【００１３】
車両１の内部の構成は、図２に示すように、車載機(例えばナビゲーション装置)５が配置され、無線通信部アンテナ８と近距離通信部アンテナ９が接続されている。
【００１４】
車載機５は、図３に示すように、表示部１３と、この表示部１３に接続した制御部１０と、制御部１０に接続したメモリ１４、無線通信部１５、近距離通信部１６、現在位置検出部１１とを備え現在位置検出部１１には、ＧＰＳアンテナ１２が接続されている。
【００１５】
図４には、携帯端末（例えば携帯電話）６の構成を示し、表示部１８と、この表示部１８に接続した制御部１７と、制御部１７に接続したメモリ２０、電話機能を実現するための通信部１９、前記近距離通信部１６等とのデータ通信を行う近距離通信部２１を備えている。
【００１６】
図５には、施設管理装置７の構成を示し、制御部２２と、この制御部に接続された空き駐車場情報ならびに駐車場地図を保存する記憶装置２３、メモリ２５、前記無線通信部１５とデータ通信を行う無線通信部２４、前記近距離通信部１６とデータ通信を行う近距離通信部２６を備えている。
【００１７】
図６は、図３で示された車載機器５と、図４で示された携帯装置６と、図５で示された施設管理装置７のかかわりを示した一例である。図６で示した車載機器５と携帯機器６は、近距離通信により、データ送受信を行い、車載機器５と施設管理装置７は、無線通信によりデータの送受信を行い、携帯機器６と施設管理装置７は、近距離通信によりデータの送受信を行う。
【００１８】
先ず、図６の車載機器５の動作を図７のフローチャートを用いて説明する。図１で示した車両１がスーパーマーケット等の駐車場２に駐車する際に、駐車場ゲート３７を通過し、その際、無線通信部３と図３で示した無線通信部１５が、データの送受信を行う。施設管理装置７の図５で示した制御部２２は、記憶装置２３に保存している空き駐車場情報から駐車スペースを１つ選択し、同時に記憶装置２３から駐車場地図を参照し、一時的に、メモリ２５に保存する。制御部２２は、メモリ２５に一時保存した駐車位置ならびに駐車場地図を駐車指示として、無線通信部２４を介して、車載機器５に向けて送信する（図７のＳ１）。
【００１９】
図２の車載機５は、無線アンテナ８を介して、駐車指示を受信する。図３で示された制御部１０では、無線通信部１５を介し、駐車指示により、受信した駐車位置ならびに駐車場地図をメモリ１４に保存し、制御部１０は無線通信受信機１５介し、駐車指示を受信した旨を施設管理装置７に向けて送信する（図７のＳ２、Ｓ３）。
【００２０】
駐車位置までの案内は、表示部１３にＧＰＳアンテナ１２や現在位置検出部１１により算出された現在位置を表示するような構成で、既存のナビゲーションシステムより実現されているもので詳細は割愛する。
【００２１】
一方、図６で示した携帯機器６を図２の近距離通信部アンテナ９に近づけることで、近距離通信（例えば、ＮＦＣ：Ｎｅａｒ  Ｆｉｅｌｄ  Ｃｏｍｍｕｎｉｃａｔｉｏｎ）でのデータの送受信を行う。その際、図４の制御部１７は、近距離通信部２１を介し、車載機器５に向けて、データ受信要求を送信する。図３で示した車載機５の制御部１０は、近距離通信部１６を介し、データ受信要求を受信した場合は、メモリ１４に保存された駐車位置ならびに駐車場地図を近距離通信部１６介し、携帯機器６に向けて送信し、一連の処理を終了する（図７のＳ４〜Ｓ６）。
【００２２】
次に、図６の携帯機器６の動作を図８のフローチャートを用いて説明する。図６で示した携帯機器６を図２の近距離通信部アンテナ９に近づけることで、近距離通信でのデータの送受信を行う。その際、図４で示した制御部１７は、近距離通信部２１を介し、車載機器５に向けて、データ受信要求を送信する（図８のＳ１１）。
【００２３】
図４の制御部１７は、近距離通信部２１を介し、車載機器５から送信された駐車位置ならびに駐車場地図データを受信した場合は、メモリ２０に記憶する。制御部１７は、メモリ２０に記憶された駐車地図データから、最も近い店内への入口を検索し、メモリ２０に記憶された駐車位置との最適経路を算出し、図１０のごとく、駐車位置２９から店内入口３０までの案内経路３１を表示部１８に表示する（図８のＳ１２、Ｓ１３）。
【００２４】
このようにして、案内図を表示することで大型な駐車場を備えたスーパーマーケット等で、車両を駐車した後、迷うことなく、店内への誘導を行うことができる。
【００２５】
また、スーパーマーケット等で、買い物を済ませ帰宅するため、車両に戻る場合は、図１で示された駐車場２付近に設置されている路上端末４に携帯機器６を近づけることで、近距離通信でのデータ通信を行う。その際、図４の制御部１７は、近距離通信部２１を介し、施設管理装置７に向けて、データ受信要求を送信する（図８のＳ１４）。
【００２６】
図４で示した制御部１７は、近距離通信部２１を介し、施設管理装置４１からの路上端末位置データを受信した場合は、路上端末とメモリ２０に記憶された駐車位置との最適経路を算出し、図１１のごとく、路上端末が設置してある店内出口３５から駐車位置３４までの案内経路３６を表示部１８に表示する（図８のＳ１５、Ｓ１６）。
【００２７】
その後、図４の制御部１７は、近距離通信部２１を介し、図６で示された施設管理装置７に向けて、受信成功の旨を通知し、一連の処理を終了する（図８のＳ１７）。
【００２８】
このようにして、携帯機器を用いてGPS等により現在位置の検出を行わなくても、案内図を表示することできスーパーマーケット等の店内出口から、車両を駐車した位置までの誘導を行うことができる。
【００２９】
次に、図６の施設管理装置６の動作を図９のフローチャートを用いて説明する。図１で示した車両１が、無線通信部３を備えた駐車場ゲート３７を通過することで、無線通信でのデータ送受信を行う。その際、図５で示された制御部２２は、記憶装置２３に保存している空き駐車場情報から駐車位置を１つ選択し、同時に記憶装置２３から駐車場地図を参照し、一時的に、メモリ２５に保存する。制御部１７は、メモリ２５に一時保存した駐車位置ならびに駐車場地図を駐車指示として、無線通信部２４を介して、車載機器５に向けて送信する（図９のＳ２１〜Ｓ２３）。
【００３０】
その後、図６で示された車載機器５から無線通信部２４を介して、駐車指示を受信した旨が通知される。このとき、制御部２２は先ほど駐車指示で使用した駐車位置を空き駐車場リストから外す（図９のＳ２４）。
【００３１】
また、図６の携帯機器６を図１の路上端末４に近づけることで、図５で示された近距離通信部２６を介し、図６で示された携帯機器６から施設管理装置７に向けてデータ受信要求を送信する。図５で示された制御部２２は、近距離通信部２６を介し、データ受信要求を受信し、データ受信した路上端末４の位置情報を近距離通信部２６を介し、携帯機器４０に向けて送信する(図９のＳ２５、Ｓ２６)。
【００３２】
その後、携帯機器６から近距離通信部２６を介し、データ受信した旨を受信し一連の処理を終了する（図９のＳ２７、Ｓ２８）。
【００３３】
以上のごとく、本実施形態においては、携帯機器（例えば携帯電話）６の制御部１７に近距離通信部２１を接続し、前記制御部１７は、前記近距離通信部２１を介して、車載機５から、駐車位置情報ならび地図情報を送信し、また、施設管理装置７から、路上端末４の位置情報を送信するとともに、前記制御部１７は表示部１８に案内図を表示する構成としたものであるので、例えば、車両を駐車した位置を忘れてしまった場合でも、表示部１８に表示された案内図により、車両までたどりつくことが出来、その結果として、例えば、大型駐車場を備えたスーパーマーケット等で、駐車位置を気にせずショッピングに専念でき、利便性を向上させることができるのである。
【産業上の利用可能性】
【００３４】
以上のように本発明は、制御部と、この制御部に接続した表示部、メモリ、車載機ならびに施設管理装置の交信可能な近距離通信部とを備え、前期近距離通信部を介して車載機ならびに施設管理装置から駐車場地図ならびに駐車位置を受信し、前記表示部に表示する構成としたものであるので、利便性を向上させることが出来る。
【００３５】
すなわち、本発明では、前記制御部と、この制御部に接続した表示部、メモリ、車載機ならびに施設管理装置の交信可能な近距離通信部とを備え、前記近距離通信部を介して車載機ならびに施設管理装置から駐車場地図ならびに駐車位置を受信し、前記表示部に表示する構成としとしたものであるので、例えば、車両の駐車位置を覚えていない場合でも、駐車場地図と駐車位置を用いて、車両までの案内図を提示することが出来、その結果として、例えば、大型の駐車場において、迷うことなく駐車位置までの誘導が可能なり、利便性を向上させることができるのである。
【００３６】
したがって、携帯機器とそれを用いた駐車案内システムとしての活用が期待されるものとなる。
【符号の説明】
【００３７】
１    車両
２    駐車場
３    無線通信部
４    路上端末
５    車載機
６    携帯端末
７    施設管理装置
８    無線通信部アンテナ
９    近距離通信部アンテナ
１０    制御部
１１    現在位置検出部
１２    ＧＰＳアンテナ
１３    表示部
１４    メモリ
１５    無線通信部
１６    近距離通信部
１７    制御部
１８    表示部
１９    通信部
２０    メモリ
２１    近距離通信部
２２    制御部
２３    記憶装置
２４    無線通信部
２５    メモリ
２６    近距離通信部
２７    携帯端末の画面
２８    駐車場
２９    駐車位置
３０    店内入口
３１    案内経路
３２    携帯端末の画面
３３    駐車場
３４    駐車位置
３５    店内出口
３６    案内経路
３７    駐車場ゲート
【図１】
2014174142.tif 000003
【図２】
2014174142.tif 000004
【図３】
2014174142.tif 000005
【図４】
2014174142.tif 000006
【図５】
2014174142.tif 000007
【図６】
2014174142.tif 000008
【図７】
2014174142.tif 000009
【図８】
2014174142.tif 000010
【図９】
2014174142.tif 000011
【図１０】
2014174142.tif 000012
【図１１】
2014174142.tif 000013